(57)【要約】  本願は無線通信方法、端末装置及びネットワーク装置を提供し、該方法では、端末装置が第１セルの広帯域キャリアにおける第１ＳＳＢの周波数点に在圏し、該第１セルの広帯域キャリアには該第１ＳＳＢを含む複数のＳＳＢが含まれ、該方法は、該端末装置が該第１ＳＳＢからネットワーク装置の放送した第１システム情報を取得し、該第１システム情報が第１指示情報を含み、該第１指示情報が該複数のＳＳＢのうちの該第１ＳＳＢ以外の各ＳＳＢの該第１ＳＳＢに対する周波数点位置、及び／又は、該複数のＳＳＢのうちの該第１ＳＳＢ以外の各ＳＳＢの絶対周波数点位置を示すことと、該端末装置が該第１ＳＳＢから該ネットワーク装置の放送した第２システム情報を取得し、該第２システム情報が構成情報を含み、該構成情報は該端末装置が該第１ＳＳＢの周波数点での在圏を停止すること、及び該複数のＳＳＢからＳＳＢを改めて選択して在圏することを示すことと、該端末装置が該構成情報に基づいて第２ＳＳＢを決定し、及び該第１指示情報で示される該第２ＳＳＢの周波数点位置に基づいて該第２ＳＳＢの周波数点に在圏することと、を含む。
2021516465.tif 000002
【特許請求の範囲】
【請求項１】
無線通信方法であって、端末装置が第１セルの広帯域キャリアにおける第１同期信号ブロック（ＳＳＢ）の周波数点に在圏し、前記第１セルの広帯域キャリアには前記第１ＳＳＢを含む複数のＳＳＢが含まれ、
前記方法は、
前記端末装置が前記第１ＳＳＢからネットワーク装置の放送した第１システム情報を取得し、前記第１システム情報が第１指示情報を含み、前記第１指示情報が前記複数のＳＳＢのうちの前記第１ＳＳＢ以外の各ＳＳＢの前記第１ＳＳＢに対する周波数点位置、及び／又は、前記複数のＳＳＢのうちの前記第１ＳＳＢ以外の各ＳＳＢの絶対周波数点位置を示すことと、
前記端末装置が前記第１ＳＳＢから前記ネットワーク装置の放送した第２システム情報を取得し、前記第２システム情報が構成情報を含み、前記構成情報は前記端末装置が前記第１ＳＳＢの周波数点での在圏を停止すること、及び前記複数のＳＳＢからＳＳＢを改めて選択して在圏することを示すことと、
前記端末装置が前記構成情報に基づいて第２ＳＳＢを決定し、及び前記第１指示情報で示される前記第２ＳＳＢの周波数点位置に基づいて前記第２ＳＳＢの周波数点に在圏し、前記第２ＳＳＢが前記複数のＳＳＢのうちのいずれか１つのＳＳＢであることと、を含むことを特徴とする無線通信方法。
【請求項２】
前記端末装置が前記構成情報に基づいて前記第２ＳＳＢを決定する前に、前記方法は更に、
前記端末装置が前記第１ＳＳＢから前記ネットワーク装置の送信したページングメッセージを取得し、前記ページングメッセージには前記端末装置が前記構成情報に応答するようにトリガーするための第２指示情報が含まれることを含み、
前記端末装置が前記構成情報に基づいて第２ＳＳＢを決定することは、
前記端末装置は前記第２指示情報に基づいて、前記端末装置が前記構成情報に基づいて前記第２ＳＳＢを決定するようにトリガーすることを含むことを特徴とする請求項１に記載の方法。
【請求項３】
前記構成情報は、前記端末装置が前記第１ＳＳＢの周波数点での在圏を停止すること、及び前記端末装置が前記複数のＳＳＢから１つのＳＳＢを改めてランダムに選択して在圏することを示し、
前記端末装置が前記構成情報に基づいて第２ＳＳＢを決定することは、
前記端末装置が前記第１ＳＳＢの周波数点での在圏を停止し、及び前記複数のＳＳＢから前記第２ＳＳＢをランダムに選択することを含むことを特徴とする請求項１又は２に記載の方法。
【請求項４】
前記構成情報は前記端末装置が前記第１ＳＳＢの周波数点での在圏を停止することを示し、及びＭ  ｍｏｄ  Ｎと前記複数のＳＳＢのうちの各ＳＳＢを識別するインデックスとの対応関係を示し、前記Ｍが前記端末装置の識別子を示し、前記Ｎが前記複数のＳＳＢの数を示し、ｍｏｄがモジュロ演算を示し、
前記端末装置が前記構成情報に基づいて第２ＳＳＢを決定することは、
前記端末装置が前記第１ＳＳＢの周波数点での在圏を停止し、及び前記対応関係に基づいて前記第２ＳＳＢを決定することを含むことを特徴とする請求項１又は２に記載の方法。
【請求項５】
前記構成情報は、前記端末装置が前記第１ＳＳＢの周波数点での在圏を停止することを示し、及び前記複数のＳＳＢのうちの各ＳＳＢの負荷閾値を示し、
前記端末装置が前記構成情報に基づいて第２ＳＳＢを決定することは、
前記端末装置が乱数をランダムに生成し、前記乱数及び前記複数のＳＳＢのうちの各ＳＳＢの負荷閾値に基づいて前記第２ＳＳＢを決定することを含むことを特徴とする請求項１又は２に記載の方法。
【請求項６】
前記構成情報は、前記端末装置が前記第１ＳＳＢの周波数点での在圏を停止すること、及び前記端末装置が前記第２ＳＳＢを選択して在圏することを示し、
前記端末装置が前記構成情報に基づいて第２ＳＳＢを決定することは、
前記端末装置が前記第２ＳＳＢを決定することを含むことを特徴とする請求項１又は２に記載の方法。
【請求項７】
前記第１システム情報は前記第１ＳＳＢに対応する残りのシステム情報（ＲＭＳＩ）であることを特徴とする請求項１〜６のいずれか１項に記載の方法。
【請求項８】
前記第１システム情報と前記第２システム情報とは同じシステム情報であることを特徴とする請求項１〜７のいずれか１項に記載の方法。
【請求項９】
無線通信方法であって、少なくとも１つの端末装置が第１セルの広帯域キャリアにおける第１同期信号ブロック（ＳＳＢ）の周波数点に在圏し、前記第１セルの広帯域キャリアには前記第１ＳＳＢを含む複数のＳＳＢが含まれ、
前記方法は、
ネットワーク装置が前記第１ＳＳＢにおいて第１システム情報を放送し、前記第１システム情報が第１指示情報を含み、前記第１指示情報は前記複数のＳＳＢのうちの前記第１ＳＳＢ以外の各ＳＳＢの前記第１ＳＳＢに対する相対周波数点位置、及び／又は、前記複数のＳＳＢのうちの前記第１ＳＳＢ以外の各ＳＳＢの絶対周波数点位置を示すことと、
前記ネットワーク装置が前記第１ＳＳＢにおいて第２システム情報を放送し、前記第２システム情報が構成情報を含み、前記構成情報は端末装置が前記第１ＳＳＢの周波数点での在圏を停止すること、及び前記複数のＳＳＢからＳＳＢを改めて選択して在圏することを示すことと、を含むことを特徴とする無線通信方法。
【請求項１０】
前記第２システム情報は、前記第１ＳＳＢの周波数点に在圏する一部又は全部の端末装置が前記構成情報に応答するようにトリガーすることに用いられることを特徴とする請求項９に記載の方法。
【請求項１１】
前記方法は更に、
前記ネットワーク装置が前記第１ＳＳＢにおいて前記端末装置にページングメッセージを送信することを含み、前記ページングメッセージには第１端末装置が前記構成情報に応答するようにトリガーするための第２指示情報が含まれ、前記第１端末装置が前記少なくとも１つの端末装置に属することを特徴とする請求項９に記載の方法。
【請求項１２】
前記構成情報は、前記端末装置が前記第１ＳＳＢの周波数点での在圏を停止すること、及び前記端末装置が前記複数のＳＳＢから１つのＳＳＢを改めてランダムに選択して在圏することを示すことを特徴とする請求項９〜１１のいずれか１項に記載の方法。
【請求項１３】
前記構成情報は前記端末装置が前記第１ＳＳＢの周波数点での在圏を停止することを示し、及びＭ  ｍｏｄ  Ｎと前記複数のＳＳＢのうちの各ＳＳＢを識別するインデックスとの対応関係を示し、前記Ｍが前記端末装置の識別子を示し、前記Ｎが前記複数のＳＳＢの数を示し、ｍｏｄがモジュロ演算を示すことを特徴とする請求項９〜１１のいずれか１項に記載の方法。
【請求項１４】
前記構成情報は、前記端末装置が前記第１ＳＳＢの周波数点での在圏を停止することを示し、及び前記複数のＳＳＢのうちの各ＳＳＢの負荷閾値を示すことを特徴とする請求項９〜１１のいずれか１項に記載の方法。
【請求項１５】
前記構成情報は、前記端末装置が前記第１ＳＳＢの周波数点での在圏を停止すること、及び前記端末装置が前記第２ＳＳＢを選択して在圏することを示すことを特徴とする請求項９〜１１のいずれか１項に記載の方法。
【請求項１６】
前記第１システム情報は前記第１ＳＳＢに対応する残りのシステム情報（ＲＭＳＩ）であることを特徴とする請求項９〜１５のいずれか１項に記載の方法。
【請求項１７】
前記第１システム情報と前記第２システム情報とは同じシステム情報であることを特徴とする請求項９〜１６のいずれか１項に記載の方法。
【請求項１８】
端末装置であって、前記端末装置が第１セルの広帯域キャリアにおける第１同期信号ブロック（ＳＳＢ）の周波数点に在圏し、前記第１セルの広帯域キャリアには前記第１ＳＳＢを含む複数のＳＳＢが含まれ、
前記端末装置は、
前記第１ＳＳＢからネットワーク装置の放送した第１システム情報を取得することに用いられ、前記第１システム情報が第１指示情報を含み、前記第１指示情報は前記複数のＳＳＢのうちの前記第１ＳＳＢ以外の各ＳＳＢの前記第１ＳＳＢに対する周波数点位置、及び／又は、前記複数のＳＳＢのうちの前記第１ＳＳＢ以外の各ＳＳＢの絶対周波数点位置を示す通信ユニットと、
前記構成情報に基づいて第２ＳＳＢを決定し、及び前記第１指示情報で示される前記第２ＳＳＢの周波数点位置に基づいて前記第２ＳＳＢの周波数点に在圏することに用いられ、前記第２ＳＳＢが前記複数のＳＳＢのうちのいずれか１つのＳＳＢである処理ユニットと、を備え、
前記通信ユニットは更に、前記第１ＳＳＢから前記ネットワーク装置の放送した第２システム情報を取得することに用いられ、前記第２システム情報が構成情報を含み、前記構成情報は前記端末装置が前記第１ＳＳＢの周波数点での在圏を停止すること、及び前記複数のＳＳＢからＳＳＢを改めて選択して在圏することを示すことを特徴とする端末装置。
【請求項１９】
前記処理ユニットが前記構成情報に基づいて前記第２ＳＳＢを決定する前に、前記通信ユニットは更に、前記第１ＳＳＢから前記ネットワーク装置の送信したページングメッセージを取得することに用いられ、前記ページングメッセージには前記端末装置が前記構成情報に応答するようにトリガーするための第２指示情報が含まれ、
前記処理ユニットは具体的に、前記第２指示情報に基づいて、前記構成情報に基づいて前記第２ＳＳＢを決定するようにトリガーすることに用いられることを特徴とする請求項１８に記載の端末装置。
【請求項２０】
前記構成情報は、前記端末装置が前記第１ＳＳＢの周波数点での在圏を停止すること、及び前記端末装置が前記複数のＳＳＢから１つのＳＳＢを改めてランダムに選択して在圏することを示し、
前記処理ユニットは具体的に、前記第１ＳＳＢの周波数点での在圏を停止すること、及び前記複数のＳＳＢから前記第２ＳＳＢをランダムに選択することに用いられることを特徴とする請求項１８又は１９に記載の端末装置。
【請求項２１】
前記構成情報は、前記端末装置が前記第１ＳＳＢの周波数点での在圏を停止することを示し、及びＭ  ｍｏｄ  Ｎと前記複数のＳＳＢのうちの各ＳＳＢを識別するインデックスとの対応関係を示し、前記Ｍが前記端末装置の識別子を示し、前記Ｎが前記複数のＳＳＢの数を示し、ｍｏｄがモジュロ演算を示し、
前記処理ユニットは具体的に、前記第１ＳＳＢの周波数点での在圏を停止し、及び前記対応関係に基づいて前記第２ＳＳＢを決定することに用いられることを特徴とする請求項１８又は１９に記載の端末装置。
【請求項２２】
前記構成情報は、前記端末装置が前記第１ＳＳＢの周波数点での在圏を停止することを示し、及び前記複数のＳＳＢのうちの各ＳＳＢの負荷閾値を示し、
前記処理ユニットは具体的に、乱数をランダムに生成し、及び前記乱数及び前記複数のＳＳＢのうちの各ＳＳＢの負荷閾値に基づいて前記第２ＳＳＢを決定することに用いられることを特徴とする請求項１８又は１９に記載の端末装置。
【請求項２３】
前記構成情報は、前記端末装置が前記第１ＳＳＢの周波数点での在圏を停止すること、及び前記端末装置が前記第２ＳＳＢを選択して在圏することを示し、
前記処理ユニットは具体的に、前記第２ＳＳＢを決定することに用いられることを特徴とする請求項１８又は１９に記載の端末装置。
【請求項２４】
前記第１システム情報は前記第１ＳＳＢに対応する残りのシステム情報（ＲＭＳＩ）であることを特徴とする請求項１８〜２３のいずれか１項に記載の端末装置。
【請求項２５】
前記第１システム情報と前記第２システム情報とは同じシステム情報であることを特徴とする請求項１８〜２４のいずれか１項に記載の端末装置。
【請求項２６】
ネットワーク装置であって、少なくとも１つの端末装置が第１セルの広帯域キャリアにおける第１同期信号ブロック（ＳＳＢ）の周波数点に在圏し、前記第１セルの広帯域キャリアには前記第１ＳＳＢを含む複数のＳＳＢが含まれ、
前記ネットワーク装置は、
前記第１ＳＳＢにおいて第１システム情報を放送することに用いられ、前記第１システム情報が第１指示情報を含み、前記第１指示情報は前記複数のＳＳＢのうちの前記第１ＳＳＢ以外の各ＳＳＢの前記第１ＳＳＢに対する相対周波数点位置、及び／又は、前記複数のＳＳＢのうちの前記第１ＳＳＢ以外の各ＳＳＢの絶対周波数点位置を示す通信ユニットを備え、
前記通信ユニットは更に、前記第１ＳＳＢにおいて第２システム情報を放送することに用いられ、前記第２システム情報が構成情報を含み、前記構成情報は端末装置が前記第１ＳＳＢの周波数点での在圏を停止すること、及び前記複数のＳＳＢからＳＳＢを改めて選択して在圏することを示すことを特徴とするネットワーク装置。
【請求項２７】
前記第２システム情報は、前記第１ＳＳＢの周波数点に在圏する一部又は全部の端末装置が前記構成情報に応答するようにトリガーすることに用いられることを特徴とする請求項２６に記載のネットワーク装置。
【請求項２８】
前記通信ユニットは更に、前記第１ＳＳＢにおいて前記端末装置にページングメッセージを送信することに用いられ、前記ページングメッセージには第１端末装置が前記構成情報に応答するようにトリガーするための第２指示情報が含まれ、前記第１端末装置が前記少なくとも１つの端末装置に属することを特徴とする請求項２６に記載のネットワーク装置。
【請求項２９】
前記構成情報は、前記端末装置が前記第１ＳＳＢの周波数点での在圏を停止すること、及び前記端末装置が前記複数のＳＳＢから１つのＳＳＢを改めてランダムに選択して在圏することを示すことを特徴とする請求項２６〜２８のいずれか１項に記載のネットワーク装置。
【請求項３０】
前記構成情報は、前記端末装置が前記第１ＳＳＢの周波数点での在圏を停止することを示し、及びＭ  ｍｏｄ  Ｎと前記複数のＳＳＢのうちの各ＳＳＢを識別するインデックスとの対応関係を示し、前記Ｍが前記端末装置の識別子を示し、前記Ｎが前記複数のＳＳＢの数を示し、ｍｏｄがモジュロ演算を示すことを特徴とする請求項２６〜２８のいずれか１項に記載のネットワーク装置。
【請求項３１】
前記構成情報は、前記端末装置が前記第１ＳＳＢの周波数点での在圏を停止することを示し、及び前記複数のＳＳＢのうちの各ＳＳＢの負荷閾値を示すことを特徴とする請求項２６〜２８のいずれか１項に記載のネットワーク装置。
【請求項３２】
前記構成情報は、前記端末装置が前記第１ＳＳＢの周波数点での在圏を停止すること、及び前記端末装置が前記第２ＳＳＢを選択して在圏することを示すことを特徴とする請求項２６〜２８のいずれか１項に記載のネットワーク装置。
【請求項３３】
前記第１システム情報は前記第１ＳＳＢに対応する残りのシステム情報（ＲＭＳＩ）であることを特徴とする請求項２６〜３２のいずれか１項に記載のネットワーク装置。
【請求項３４】
前記第１システム情報と前記第２システム情報とは同じシステム情報であることを特徴とする請求項２６〜３３のいずれか１項に記載のネットワーク装置。
【発明の詳細な説明】
【技術分野】
【０００１】
本願は通信分野に関し、より具体的に、無線通信方法、端末装置及びネットワーク装置に関する。
【背景技術】
【０００２】
第５世代移動通信技術である新無線（５Ｇ  ＮＲ、５−Ｇｅｎｅｒａｔｉｏｎ  Ｎｅｗ  Ｒａｄｉｏ）において、低周波数キャリアの場合、最大チャネル帯域幅が１００ＭＨｚであり、高周波数キャリアの場合、最大チャネル帯域幅が４００ＭＨｚである。５Ｇ  ＮＲ通信において、端末装置（ＵＥ、Ｕｓｅｒ  Ｅｑｕｉｐｍｅｎｔ）の電力消費への要求が高く、端末装置が常に低周波数キャリア又は高周波数キャリアの最大チャネル帯域幅に基づいてデータ伝送を行うと、エネルギー損失が大きくなる。従って、５Ｇ  ＮＲ広帯域セルの広帯域キャリア全体において複数の同期信号ブロック（ＳＳＢ、Ｓｙｎｃｈｒｏｎｏｕｓ  Ｓｉｇｎａｌ  Ｂｌｏｃｋ）構成を定義することとなり、端末装置は１つのＳＳＢをサーチした後、システム放送情報を取得して在圏し、従って、５Ｇ  ＮＲ広帯域セルの広帯域キャリア全体において、端末装置はすべてのＳＳＢの位置する周波数点にランダムに分布する。ところが、このような端末装置がランダムに分布するため、端末装置のすべてのＳＳＢでの分布が不均衡となるという問題が発生してしまう。
【発明の概要】
【発明が解決しようとする課題】
【０００３】
本願の実施例は無線通信方法、端末装置及びネットワーク装置を提供し、ネットワーク装置はシステム情報によって５Ｇ  ＮＲ広帯域セル内のすべてのＳＳＢの位置情報と、端末装置が５Ｇ  ＮＲ広帯域セル内のすべてのＳＳＢにおいて負荷を改めて分布させるルールとを示し、これにより、端末装置はすべてのＳＳＢにおいて負荷を改めて分布させ、更に端末装置の５Ｇ  ＮＲ広帯域セルでの負荷のバランスを取るという目的を実現する。
【課題を解決するための手段】
【０００４】
第１態様では、本願の実施例は無線通信方法を提供し、端末装置が第１セルの広帯域キャリアにおける第１ＳＳＢの周波数点に在圏し、該第１セルの広帯域キャリアには該第１ＳＳＢを含む複数のＳＳＢが含まれ、
該方法は、
該端末装置が該第１ＳＳＢからネットワーク装置の放送した第１システム情報を取得し、該第１システム情報が第１指示情報を含み、該第１指示情報は該複数のＳＳＢのうちの該第１ＳＳＢ以外の各ＳＳＢの該第１ＳＳＢに対する周波数点位置、及び／又は、該複数のＳＳＢのうちの該第１ＳＳＢ以外の各ＳＳＢの絶対周波数点位置を示すことと、
該端末装置が該第１ＳＳＢから該ネットワーク装置の放送した第２システム情報を取得し、該第２システム情報が構成情報を含み、該構成情報は該端末装置が該第１ＳＳＢの周波数点での在圏を停止すること、及び該複数のＳＳＢからＳＳＢを改めて選択して在圏することを示すことと、
該端末装置が該構成情報に基づいて第２ＳＳＢを決定し、及び該第１指示情報で示される該第２ＳＳＢの周波数点位置に基づいて該第２ＳＳＢの周波数点に在圏し、該第２ＳＳＢが該複数のＳＳＢのうちのいずれか１つのＳＳＢであることと、を含む。
【０００５】
従って、本願の実施例の無線通信方法において、端末装置が構成情報に基づいて第１ＳＳＢの周波数点での在圏を停止し、及び複数のＳＳＢから第２ＳＳＢを決定し、及び第１指示情報で示される第２ＳＳＢの周波数点位置に基づいて第２ＳＳＢの周波数点に在圏し、これにより、端末装置はすべてのＳＳＢにおいて負荷を改めて分布させ、更に端末装置の５Ｇ  ＮＲ広帯域セルでの負荷のバランスを取るという目的を実現することができる。
【０００６】
選択肢として、第１態様の実現方式では、該端末装置が該構成情報に基づいて該第２ＳＳＢを決定する前に、該方法は更に、
該端末装置が該第１ＳＳＢから該ネットワーク装置の送信したページングメッセージを取得することを含み、該ページングメッセージには該端末装置が該構成情報に応答するようにトリガーするための第２指示情報が含まれ、
該端末装置が該構成情報に基づいて第２ＳＳＢを決定することは、
該端末装置は該第２指示情報に基づいて、該端末装置が該構成情報に基づいて該第２ＳＳＢを決定するようにトリガーすることを含む。
【０００７】
従って、端末装置はページングメッセージに含まれる第２指示情報に基づいて、構成情報に基づいて第２ＳＳＢを決定するようにトリガーすることができ、これにより、端末装置のすべてのＳＳＢでの負荷を改めて分布させるように柔軟に制御することができる。
【０００８】
選択肢として、第１態様の実現方式では、該構成情報は該端末装置が該第１ＳＳＢの周波数点での在圏を停止すること、及び該端末装置が該複数のＳＳＢから１つのＳＳＢを改めてランダムに選択して在圏することを示し、
該端末装置が該構成情報に基づいて第２ＳＳＢを決定することは、
該端末装置が該第１ＳＳＢの周波数点での在圏を停止し、及び該複数のＳＳＢから該第２ＳＳＢをランダムに選択することを含む。
【０００９】
選択肢として、第１態様の実現方式では、該構成情報は該端末装置が該第１ＳＳＢの周波数点での在圏を停止することを示し、及びＭ  ｍｏｄ  Ｎと該複数のＳＳＢのうちの各ＳＳＢを識別するインデックスとの対応関係を示し、該Ｍが該端末装置の識別子を示し、該Ｎが該複数のＳＳＢの数を示し、ｍｏｄがモジュロ演算を示し、
該端末装置が該構成情報に基づいて第２ＳＳＢを決定することは、
該端末装置が該第１ＳＳＢの周波数点での在圏を停止し、及び該対応関係に基づいて該第２ＳＳＢを決定することを含む。
【００１０】
選択肢として、第１態様の実現方式では、該構成情報は該端末装置が該第１ＳＳＢの周波数点での在圏を停止することを示し、及び該複数のＳＳＢのうちの各ＳＳＢの負荷閾値を示し、
該端末装置が該構成情報に基づいて第２ＳＳＢを決定することは、
該端末装置が乱数をランダムに生成し、該乱数及び該複数のＳＳＢのうちの各ＳＳＢの負荷閾値に基づいて該第２ＳＳＢを決定することを含む。
【００１１】
選択肢として、第１態様の実現方式では、該構成情報は該端末装置が該第１ＳＳＢの周波数点での在圏を停止すること、及び該端末装置が該第２ＳＳＢを選択して在圏することを示し、
該端末装置が該構成情報に基づいて第２ＳＳＢを決定することは、
該端末装置が該第２ＳＳＢを決定することを含む。
【００１２】
選択肢として、第１態様の実現方式では、該第１システム情報は該第１ＳＳＢに対応する残りのシステム情報（ＲＭＳＩ）である。
【００１３】
選択肢として、第１態様の実現方式では、該第１システム情報と該第２システム情報とは同じシステム情報である。
【００１４】
第２態様では、本願の実施例は無線通信方法を提供し、少なくとも１つの端末装置が第１セルの広帯域キャリアにおける第１同期信号ブロック（ＳＳＢ）の周波数点に在圏し、該第１セルの広帯域キャリアには該第１ＳＳＢを含む複数のＳＳＢが含まれ、
該方法は、
ネットワーク装置が該第１ＳＳＢにおいて第１システム情報を放送し、該第１システム情報が第１指示情報を含み、該第１指示情報は該複数のＳＳＢのうちの該第１ＳＳＢ以外の各ＳＳＢの該第１ＳＳＢに対する相対周波数点位置、及び／又は、該複数のＳＳＢのうちの該第１ＳＳＢ以外の各ＳＳＢの絶対周波数点位置を示すことと、
該ネットワーク装置が該第１ＳＳＢにおいて第２システム情報を放送し、該第２システム情報が構成情報を含み、該構成情報は端末装置が該第１ＳＳＢの周波数点での在圏を停止すること、及び該複数のＳＳＢからＳＳＢを改めて選択して在圏することを示すことと、を含む。
【００１５】
従って、本願の実施例の無線通信方法において、ネットワーク装置は第１指示情報によって複数のＳＳＢのうちの第１ＳＳＢ以外の各ＳＳＢの周波数点位置を示し、これにより、端末装置は複数のＳＳＢのうちの各ＳＳＢの周波数点位置を決定することができる。更に、ネットワーク装置は構成情報によって端末装置が第１ＳＳＢの周波数点での在圏を停止すること、及び複数のＳＳＢからＳＳＢを改めて選択して在圏することを示し、これにより、端末装置はすべてのＳＳＢにおいて負荷を改めて分布させ、更に端末装置の５Ｇ  ＮＲ広帯域セルでの負荷のバランスを取るという目的を実現することができる。
【００１６】
選択肢として、第２態様の実現方式では、該第２システム情報は該第１ＳＳＢの周波数点に在圏する一部又は全部の端末装置が該構成情報に応答するようにトリガーすることに用いられる。
【００１７】
従って、ネットワーク装置は第２システム情報によって第１ＳＳＢの周波数点に在圏する一部又は全部の端末装置が構成情報に応答するようにトリガーすることができ、これにより、複数の端末装置は複数のＳＳＢからＳＳＢを同時に改めて選択して在圏し、更にすべてのＳＳＢにおいて負荷を改めて分布させることができる。
【００１８】
選択肢として、第２態様の実現方式では、該方法は更に、
該ネットワーク装置が該第１ＳＳＢにおいて該端末装置にページングメッセージを送信することを含み、該ページングメッセージには第１端末装置が該構成情報に応答するようにトリガーするための第２指示情報が含まれ、該第１端末装置が該少なくとも１つの端末装置に属する。
【００１９】
従って、ネットワーク装置はページングメッセージに含まれる第２指示情報によって第１端末装置が構成情報に応答するようにトリガーすることができ、これにより、第１端末装置は複数のＳＳＢからＳＳＢを改めて選択して在圏することができる。
【００２０】
選択肢として、第２態様の実現方式では、該構成情報は該端末装置が該第１ＳＳＢの周波数点での在圏を停止すること、及び該端末装置が該複数のＳＳＢから１つのＳＳＢを改めてランダムに選択して在圏することを示す。
【００２１】
選択肢として、第２態様の実現方式では、該構成情報は該端末装置が該第１ＳＳＢの周波数点での在圏を停止することを示し、及びＭ  ｍｏｄ  Ｎと該複数のＳＳＢのうちの各ＳＳＢを識別するインデックスとの対応関係を示し、該Ｍが該端末装置の識別子を示し、該Ｎが該複数のＳＳＢの数を示し、ｍｏｄがモジュロ演算を示す。
【００２２】
選択肢として、第２態様の実現方式では、該構成情報は該端末装置が該第１ＳＳＢの周波数点での在圏を停止することを示し、及び該複数のＳＳＢのうちの各ＳＳＢの負荷閾値を示す。
【００２３】
選択肢として、第２態様の実現方式では、該構成情報は該端末装置が該第１ＳＳＢの周波数点での在圏を停止すること、及び該端末装置が該第２ＳＳＢを選択して在圏することを示す。
【００２４】
選択肢として、第２態様の実現方式では、該第１システム情報は該第１ＳＳＢに対応する残りのシステム情報（ＲＭＳＩ）である。
【００２５】
選択肢として、第２態様の実現方式では、該第１システム情報と該第２システム情報とは同じシステム情報である。
【００２６】
第３態様では、本願の実施例は端末装置を提供し、第１態様又は第１態様のいずれか１つの選択可能な実現方式における方法を実行することのできるモジュール又はユニット。
【００２７】
第４態様では、本願の実施例はネットワーク装置を提供し、第２態様又は第２態様のいずれか１つの選択可能な実現方式における方法を実行することのできるモジュール又はユニット。
【００２８】
第５態様では端末装置を提供し、該端末装置はプロセッサ、メモリ及び通信インターフェースを備える。プロセッサはメモリ及び通信インターフェースに接続される。メモリは命令を記憶することに用いられ、プロセッサは該命令を実行することに用いられ、通信インターフェースはプロセッサの制御下で他のネットワーク要素と通信することに用いられる。該プロセッサが該メモリに記憶される命令を実行するとき、該実行によって該プロセッサは第１態様又は第１態様のいずれか１つの可能な実現方式における方法を実行する。
【００２９】
第６態様ではネットワーク装置を提供し、該ネットワーク装置はプロセッサ、メモリ及び通信インターフェースを備える。プロセッサはメモリ及び通信インターフェースに接続される。メモリは命令を記憶することに用いられ、プロセッサは該命令を実行することに用いられ、通信インターフェースはプロセッサの制御下で他のネットワーク要素と通信することに用いられる。該プロセッサが該メモリに記憶される命令を実行するとき、該実行によって該プロセッサは第２態様又は第２態様のいずれか１つの可能な実現方式における方法を実行する。
【００３０】
第７態様ではコンピュータ記憶媒体を提供し、該コンピュータ記憶媒体にプログラムコードが記憶され、該プログラムコードはコンピュータが上記第１態様又は第１態様のいずれか１つの可能な実現方式における方法を実行する命令を示すことに用いられる。
【００３１】
第８態様ではコンピュータ記憶媒体を提供し、該コンピュータ記憶媒体にプログラムコードが記憶され、該プログラムコードはコンピュータが上記第２態様又は第２態様のいずれか１つの可能な実現方式における方法を実行する命令を示すことに用いられる。
【００３２】
第９態様では命令を含むコンピュータプログラム製品を提供し、該コンピュータプログラム製品がコンピュータにおいて実行されるとき、コンピュータは上記各態様に記載の方法を実行する。
【図面の簡単な説明】
【００３３】
【図１】図１は本願の実施例の応用シーンの模式図である。
【図２】図２は本願の実施例に係る無線通信方法の模式的なフローチャートである。
【図３】図３は本願の実施例に係る他の無線通信方法の模式的なフローチャートである。
【図４】図４は本願の実施例に係る端末装置の模式的なブロック図である。
【図５】図５は本願の実施例に係るネットワーク装置の模式的なブロック図である。
【図６】図６は本願の実施例に係る無線通信装置の模式的なブロック図である。
【図７】図７は本願の実施例に係るシステムチップの構造模式図である。
【発明を実施するための形態】
【００３４】
以下、本願の実施例の図面を参照しながら本願の実施例の技術案を明確で完全に説明する。
【００３５】
本願の実施例の技術案は様々な通信システム、例えばロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇ通信システム等に適用されてもよい。
【００３６】
本願の実施例の端末装置とはユーザー装置（ＵＥ、Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯装置、コンピューティングデバイス又は無線モデムに接続される他の処理装置、車載装置、ウェアラブル装置、５Ｇネットワークにおける端末装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）における端末装置等であってもよく、本願の実施例は制限しない。
【００３７】
本願はアクセスネットワーク装置と組み合わせて各実施例を説明する。本願の実施例のネットワーク装置は端末装置と通信するための装置であってもよく、該ネットワーク装置はＬＴＥシステムにおける発展型基地局（ｅＮＢ又はｅＮｏｄｅＢ、Ｅｖｏｌｕｔｉｏｎａｌ  ＮｏｄｅＢ）であってもよく、更にクラウド無線アクセスネットワーク（ＣＲＡＮ、Ｃｌｏｕｄ  Ｒａｄｉｏ  Ａｃｃｅｓｓ  Ｎｅｔｗｏｒｋ）シーンでの無線制御装置であってもよく、又は、該アクセスネットワーク装置は中継局、アクセスポイント、車載装置、ウェアラブル端末、次世代発展型基地局（ＮＧ−ｅＮＢ、Ｎｅｘｔ  Ｇｅｎｅｒａｔｉｏｎ  Ｅｖｏｌｕｔｉｏｎａｌ  ＮｏｄｅＢ）及び５Ｇネットワークにおけるアクセスネットワーク装置（例えば、ｇＮＢ）又は将来発展する公衆陸上移動網（ＰＬＭＮ、Ｐｕｂｌｉｃ  Ｌａｎｄ  Ｍｏｂｉｌｅ  Ｎｅｔｗｏｒｋ）ネットワークにおけるアクセスネットワーク装置等であってもよく、本願の実施例は制限しない。
【００３８】
図１では１つのネットワーク装置及び２つの端末装置を例示し、選択肢として、該無線通信システム１００は複数のネットワーク装置を備えてもよく、且つ各ネットワーク装置のカバレッジ範囲内には他の数の端末装置が含まれてもよく、本願の実施例は制限しない。
【００３９】
選択肢として、該無線通信システム１００は更に移動管理エンティティ（ＭＭＥ、Ｍｏｂｉｌｉｔｙ  Ｍａｎａｇｅｍｅｎｔ  Ｅｎｔｉｔｙ）、アクセス及び移動管理機能（ＡＭＦ、Ａｃｃｅｓｓ  ａｎｄ  Ｍｏｂｉｌｉｔｙ  Ｍａｎａｇｅｍｅｎｔ  Ｆｕｎｃｔｉｏｎ）等の他のネットワークエンティティを備えてもよく、本願の実施例は制限しない。
【００４０】
なお、本願の各態様又は特徴は方法、装置、又は標準的なプログラミング技術及び／又はエンジニアリング技術を用いる製品として実現されてもよい。本願に使用される用語「製品」はいかなるコンピュータ可読デバイス、メディア又は媒体からアクセスできるコンピュータプログラムを含む。例えば、コンピュータ可読媒体は磁気記憶装置（例えば、ハードディスク、フロッピーディスク又は磁気テープ等）、光ディスク（例えば、コンパクトディスク（ＣＤ、Ｃｏｍｐａｃｔ  Ｄｉｓｃ）、デジタル多用途ディスク（ＤＶＤ、Ｄｉｇｉｔａｌ  Ｖｅｒｓａｔｉｌｅ  Ｄｉｓｃ）等）、スマートカード及びフラッシュメモリデバイス（例えば、消去可能プログラマブル読み出し専用メモリ（ＥＰＲＯＭ、Ｅｒａｓａｂｌｅ  Ｐｒｏｇｒａｍｍａｂｌｅ  Ｒｅａｄ−Ｏｎｌｙ  Ｍｅｍｏｒｙ）、カード、スティック又はキードライブ等）を含んでもよいが、それらに限らない。また、本明細書に説明される様々な記憶媒体は情報を記憶するための１つ又は複数の装置及び／又は他の機械可読媒体を示してもよい。用語「機械可読媒体」は命令及び／又はデータを記憶、包含及び／又はベアリングできる様々な媒体を含んでもよいが、それらに限らない。
【００４１】
理解されるように、本明細書では、本明細書における用語「システム」と「ネットワーク」は常に交換可能に使用される。本明細書における用語「及び／又は」は関連オブジェクトの関連関係を説明するためのものに過ぎず、３つの関係が存在してもよいことを示し、例えば、「Ａ及び／又はＢ」はＡが独立して存在すること、ＡとＢが同時に存在すること、Ｂが独立して存在することの３つの状況を示してもよい。また、本明細書における文字「／」は一般的に前後関連オブジェクトが「又は」の関係であることを示す。
【００４２】
図２は本願の実施例に係る無線通信方法２００の模式的なフローチャートである。選択肢として、該方法２００は図１に示されるシステムに適用されてもよいが、これに限らない。該方法２００では、端末装置が第１セルの広帯域キャリアにおける第１ＳＳＢの周波数点に在圏し、該第１セルの広帯域キャリアには該第１ＳＳＢを含む複数のＳＳＢが含まれる。該方法２００は以下の少なくとも一部を含む。
【００４３】
２１０、該端末装置は該第１ＳＳＢからネットワーク装置の放送した第１システム情報を取得し、該第１システム情報が第１指示情報を含み、該第１指示情報は該複数のＳＳＢのうちの該第１ＳＳＢ以外の各ＳＳＢの該第１ＳＳＢに対する周波数点位置、及び／又は、該複数のＳＳＢのうちの該第１ＳＳＢ以外の各ＳＳＢの絶対周波数点位置を示す。
【００４４】
理解されるように、端末装置が第１ＳＳＢの周波数点に在圏する場合、端末装置は第１ＳＳＢの周波数点位置を把握した。
【００４５】
従って、端末装置は第１指示情報に基づいて複数のＳＳＢのうちの各ＳＳＢの周波数点位置を把握することができる。
【００４６】
選択肢として、ＳＳＢはプライマリ同期信号（ＰＳＳ、Ｐｒｉｍａｒｙ  Ｓｙｎｃｈｒｏｎｉｚａｔｉｏｎ  Ｓｉｇｎａｌ）であってもよく、セカンダリ同期信号（ＳＳＳ、Ｓｅｃｏｎｄａｒｙ  Ｓｙｎｃｈｒｏｎｉｚａｔｉｏｎ  Ｓｉｇｎａｌ）であってもよく、物理放送チャネル（ＰＢＣＨ、Ｐｈｙｓｉｃａｌ  Ｂｒｏａｄｃａｓｔ  Ｃｈａｎｎｅｌ）であってもよい。
【００４７】
選択肢として、該第１セルは５Ｇ  ＮＲ広帯域セルであってもよい。
【００４８】
選択肢として、該第１システムメッセージはＳＳＢ１に対応する残りのシステム情報（ＲＭＳＩ、Ｒｅｍａｉｎｉｎｇ  Ｓｙｓｔｅｍ  Ｉｎｆｏｒｍａｔｉｏｎ）であってもよい。
【００４９】
例えば、第１セルにおいて合計して３つのＳＳＢがあり、それぞれＳＳＢ１、ＳＳＢ２、ＳＳＢ３であり、端末装置がＳＳＢ１に在圏し、ＳＳＢ１に対応するＲＭＳＩには第１指示情報が含まれ、該第１指示情報はＳＳＢ２のＳＳＢ１に対する周波数点位置、ＳＳＢ３のＳＳＢ１に対する周波数点位置を示し、又は該第１指示情報はＳＳＢ２及びＳＳＢ３の絶対周波数点位置を示す。
【００５０】
従って、端末装置がＳＳＢ１での在圏を停止した後、ＳＳＢ２に在圏することを改めて選択した場合、ＳＳＢ２の周波数点位置を正確に把握して、更にＳＳＢ２の周波数点に在圏することができる。
【００５１】
選択肢として、該第１システム情報は該第１ＳＳＢに対応するＲＭＳＩである。
【００５２】
２２０、該端末装置は該第１ＳＳＢから該ネットワーク装置の放送した第２システム情報を取得し、該第２システム情報が構成情報を含み、該構成情報は該端末装置が該第１ＳＳＢの周波数点での在圏を停止すること、及び該複数のＳＳＢからＳＳＢを改めて選択して在圏することを示す。
【００５３】
選択肢として、該第１システム情報と該第２システム情報とは同じシステム情報である。
【００５４】
選択肢として、該構成情報は該端末装置が該第１ＳＳＢの周波数点での在圏を停止すること、及び該端末装置が該複数のＳＳＢから１つのＳＳＢを改めてランダムに選択して在圏することを示す。
【００５５】
例えば、第１セルにおいて合計して３つのＳＳＢがあり、それぞれＳＳＢ１、ＳＳＢ２、ＳＳＢ３であり、ＵＥは１〜３の整数を１つランダムに生成し、１がＳＳＢ１に対応し、２がＳＳＢ２に対応し、３がＳＳＢ３に対応し、
ＵＥが１をランダムに生成する場合、ＵＥはＳＳＢ１を選択して在圏し、
ＵＥが２をランダムに生成する場合、ＵＥはＳＳＢ２を選択して在圏し、
ＵＥが３をランダムに生成する場合、ＵＥはＳＳＢ３を選択して在圏する。
【００５６】
選択肢として、該構成情報は該端末装置が該第１ＳＳＢの周波数点での在圏を停止することを示し、及びＭ  ｍｏｄ  Ｎと該複数のＳＳＢのうちの各ＳＳＢを識別するインデックスとの対応関係を示し、該Ｍが該端末装置の識別子（ＵＥ  ＩＤ、Ｕｓｅｒ  Ｅｑｕｉｐｍｅｎｔ  Ｉｄｅｎｔｉｔｙ）を示し、該Ｎが該複数のＳＳＢの数を示し、ｍｏｄがモジュロ演算を示す。
【００５７】
例えば、Ｍ  ｍｏｄ  Ｎ＝１がＳＳＢ１に対応し、Ｍ  ｍｏｄ  Ｎ＝２がＳＳＢ２に対応し、Ｍ  ｍｏｄ  Ｎ＝３がＳＳＢ３に対応し、
Ｍ  ｍｏｄ  Ｎ＝１の場合、ＵＥはＳＳＢ１を選択して在圏し、
Ｍ  ｍｏｄ  Ｎ＝２の場合、ＵＥはＳＳＢ２を選択して在圏し、
Ｍ  ｍｏｄ  Ｎ＝３の場合、ＵＥはＳＳＢ３を選択して在圏する。
【００５８】
選択肢として、該構成情報は該端末装置が該第１ＳＳＢの周波数点での在圏を停止することを示し、及び該複数のＳＳＢのうちの各ＳＳＢの負荷閾値を示す。
【００５９】
例えば、第１セルにおいて合計して３つのＳＳＢがあり、それぞれＳＳＢ１、ＳＳＢ２、ＳＳＢ３であり、ＳＳＢ１の負荷閾値が１であり、ＳＳＢ２の負荷閾値が２であり、ＳＳＢ３の負荷閾値が３であり、
ＳＳＢの負荷閾値が１である場合、負荷が大きいことを示し、ＳＳＢの負荷閾値が２である場合、負荷が適当であることを示し、ＳＳＢの負荷閾値が３である場合、負荷が小さいことを示す。
【００６０】
ＵＥが０〜１００の数字を１つランダムに生成し、０〜２０は負荷閾値が１のＳＳＢに対応し、２１〜５０は負荷閾値が２のＳＳＢに対応し、５１〜１００は負荷閾値が３のＳＳＢに対応し（即ち、ＵＥが０〜２０の数字をランダムに生成する確率は最も小さく、５１〜１００の数字をランダムに生成する確率は最も大きい）、
ＵＥが１５をランダムに生成する場合、ＵＥはＳＳＢ１を選択して在圏し、
ＵＥが３３をランダムに生成する場合、ＵＥはＳＳＢ２を選択して在圏し、
ＵＥが９８をランダムに生成する場合、ＵＥはＳＳＢ３を選択して在圏する。
【００６１】
選択肢として、該構成情報は該端末装置が該第１ＳＳＢの周波数点での在圏を停止すること、及び該端末装置が該第２ＳＳＢを選択して在圏することを示す。
【００６２】
端末装置は該構成情報に基づいて直接に該第２ＳＳＢの周波数点に在圏する。
【００６３】
２３０、該端末装置は該構成情報に基づいて第２ＳＳＢを決定し、及び該第１指示情報で示される該第２ＳＳＢの周波数点位置に基づいて該第２ＳＳＢの周波数点に在圏し、該第２ＳＳＢは該複数のＳＳＢのうちのいずれか１つのＳＳＢである。
【００６４】
選択肢として、端末装置は該構成情報を受信した後、該端末装置が該構成情報に基づいて該第２ＳＳＢを決定するように初期設定のままトリガーする。
【００６５】
選択肢として、該端末装置は該第１ＳＳＢから該ネットワーク装置の送信したページングメッセージを取得し、該ページングメッセージには該端末装置が該構成情報に応答するようにトリガーするための第２指示情報が含まれ、該端末装置は該第２指示情報に基づいて、該端末装置が該構成情報に基づいて該第２ＳＳＢを決定するようにトリガーする。
【００６６】
従って、本願の実施例の無線通信方法において、端末装置は構成情報に基づいて第１ＳＳＢの周波数点での在圏を停止し、及び複数のＳＳＢから第２ＳＳＢを決定し、及び第１指示情報で示される第２ＳＳＢの周波数点位置に基づいて第２ＳＳＢの周波数点に在圏し、これにより、端末装置はすべてのＳＳＢにおいて負荷を改めて分布させ、更に端末装置の５Ｇ  ＮＲ広帯域セルでの負荷のバランスを取るという目的を実現することができる。
【００６７】
図３は本願の実施例に係る無線通信方法３００の模式的なフローチャートである。選択肢として、該方法３００は図１に示されるシステムに適用されてもよいが、これに限らない。該方法３００では、少なくとも１つの端末装置が第１セルの広帯域キャリアにおける第１ＳＳＢの周波数点に在圏し、該第１セルの広帯域キャリアには該第１ＳＳＢを含む複数のＳＳＢが含まれる。該方法３００は以下の少なくとも一部を含む。
【００６８】
３１０、ネットワーク装置は該第１ＳＳＢにおいて第１システム情報を放送し、該第１システム情報が第１指示情報を含み、該第１指示情報は該複数のＳＳＢのうちの該第１ＳＳＢ以外の各ＳＳＢの該第１ＳＳＢに対する相対周波数点位置、及び／又は、該複数のＳＳＢのうちの該第１ＳＳＢ以外の各ＳＳＢの絶対周波数点位置を示す。
【００６９】
３２０、該ネットワーク装置は該第１ＳＳＢにおいて第２システム情報を放送し、該第２システム情報が構成情報を含み、該構成情報は端末装置が該第１ＳＳＢの周波数点での在圏を停止すること、及び該複数のＳＳＢからＳＳＢを改めて選択して在圏することを示す。
【００７０】
選択肢として、該第２システム情報は該第１ＳＳＢの周波数点に在圏する一部又は全部の端末装置が該構成情報に応答するようにトリガーすることに用いられる。
【００７１】
従って、ネットワーク装置は第２システム情報によって第１ＳＳＢの周波数点に在圏する一部又は全部の端末装置が構成情報に応答するようにトリガーすることができ、これにより、複数の端末装置は複数のＳＳＢからＳＳＢを同時に改めて選択して在圏し、更にすべてのＳＳＢにおいて負荷を改めて分布させることができる。
【００７２】
選択肢として、該方法３００は更に、
該ネットワーク装置が該第１ＳＳＢにおいて該端末装置にページングメッセージを送信することを含み、該ページングメッセージには第１端末装置が該構成情報に応答するようにトリガーするための第２指示情報が含まれ、該第１端末装置が該少なくとも１つの端末装置に属する。
【００７３】
従って、ネットワーク装置はページングメッセージに含まれる第２指示情報によって第１端末装置が構成情報に応答するようにトリガーすることができ、これにより、第１端末装置は複数のＳＳＢからＳＳＢを改めて選択して在圏することができる。
【００７４】
選択肢として、該構成情報は該端末装置が該第１ＳＳＢの周波数点での在圏を停止すること、及び該端末装置が該複数のＳＳＢから１つのＳＳＢを改めてランダムに選択して在圏することを示す。
【００７５】
選択肢として、該構成情報は該端末装置が該第１ＳＳＢの周波数点での在圏を停止することを示し、及びＭ  ｍｏｄ  Ｎと該複数のＳＳＢのうちの各ＳＳＢを識別するインデックスとの対応関係を示し、該Ｍが該端末装置の識別子を示し、該Ｎが該複数のＳＳＢの数を示し、ｍｏｄがモジュロ演算を示す。
【００７６】
選択肢として、該構成情報は該端末装置が該第１ＳＳＢの周波数点での在圏を停止することを示し、及び該複数のＳＳＢのうちの各ＳＳＢの負荷閾値を示す。
【００７７】
選択肢として、該構成情報は該端末装置が該第１ＳＳＢの周波数点での在圏を停止すること、及び該端末装置が該第２ＳＳＢを選択して在圏することを示す。
【００７８】
選択肢として、該第１システム情報は該第１ＳＳＢに対応するＲＭＳＩである。
【００７９】
選択肢として、該第１システム情報と該第２システム情報とは同じシステム情報である。
【００８０】
理解されるように、上記無線通信方法３００は方法２００における対応ステップに対応し、上記無線通信方法３００におけるステップについては、無線通信方法２００における対応ステップについての説明を参照してもよく、簡潔のために、ここで詳細な説明は省略する。
【００８１】
従って、本願の実施例の無線通信方法において、ネットワーク装置は第１指示情報によって複数のＳＳＢのうちの第１ＳＳＢ以外の各ＳＳＢの周波数点位置を示し、これにより、端末装置は複数のＳＳＢのうちの各ＳＳＢの周波数点位置を決定することができる。更に、ネットワーク装置は構成情報によって端末装置が第１ＳＳＢの周波数点での在圏を停止すること、及び複数のＳＳＢからＳＳＢを改めて選択して在圏することを示し、これにより、端末装置はすべてのＳＳＢにおいて負荷を改めて分布させ、更に端末装置の５Ｇ  ＮＲ広帯域セルでの負荷のバランスを取るという目的を実現することができる。
【００８２】
図４は本願の実施例に係る端末装置４００の模式的なブロック図である。図４に示すように、該端末装置４００が第１セルの広帯域キャリアにおける第１ＳＳＢの周波数点に在圏し、該第１セルの広帯域キャリアには該第１ＳＳＢを含む複数のＳＳＢが含まれ、
該端末装置４００は、
該第１ＳＳＢからネットワーク装置の放送した第１システム情報を取得することに用いられ、該第１システム情報が第１指示情報を含み、該第１指示情報は該複数のＳＳＢのうちの該第１ＳＳＢ以外の各ＳＳＢの該第１ＳＳＢに対する周波数点位置、及び／又は、該複数のＳＳＢのうちの該第１ＳＳＢ以外の各ＳＳＢの絶対周波数点位置を示す通信ユニット４１０と、
該構成情報に基づいて第２ＳＳＢを決定し、及び該第１指示情報で示される該第２ＳＳＢの周波数点位置に基づいて該第２ＳＳＢの周波数点に在圏することに用いられ、該第２ＳＳＢが該複数のＳＳＢのうちのいずれか１つのＳＳＢである処理ユニット４２０と、を備え、
該通信ユニット４１０は更に、該第１ＳＳＢから該ネットワーク装置の放送した第２システム情報を取得することに用いられ、該第２システム情報が構成情報を含み、該構成情報は該端末装置が該第１ＳＳＢの周波数点での在圏を停止すること、及び該複数のＳＳＢからＳＳＢを改めて選択して在圏することを示す。
【００８３】
選択肢として、該処理ユニット４２０が該構成情報に基づいて該第２ＳＳＢを決定する前に、該通信ユニット４１０は更に、該第１ＳＳＢから該ネットワーク装置の送信したページングメッセージを取得することに用いられ、該ページングメッセージには該端末装置が該構成情報に応答するようにトリガーするための第２指示情報が含まれ、
該処理ユニット４２０は具体的に、該第２指示情報に基づいて、該構成情報に基づいて該第２ＳＳＢを決定するようにトリガーすることに用いられる。
【００８４】
選択肢として、該構成情報は該端末装置が該第１ＳＳＢの周波数点での在圏を停止すること、及び該端末装置が該複数のＳＳＢから１つのＳＳＢを改めてランダムに選択して在圏することを示し、
該処理ユニット４２０は具体的に、該第１ＳＳＢの周波数点での在圏を停止し、及び該複数のＳＳＢから該第２ＳＳＢをランダムに選択することに用いられる。
【００８５】
選択肢として、該構成情報は該端末装置が該第１ＳＳＢの周波数点での在圏を停止することを示し、及びＭ  ｍｏｄ  Ｎと該複数のＳＳＢのうちの各ＳＳＢを識別するインデックスとの対応関係を示し、該Ｍが該端末装置の識別子を示し、該Ｎが該複数のＳＳＢの数を示し、ｍｏｄがモジュロ演算を示し、
該処理ユニット４２０は具体的に、該第１ＳＳＢの周波数点での在圏を停止すること、及び該対応関係に基づいて該第２ＳＳＢを決定することに用いられる。
【００８６】
選択肢として、該構成情報は該端末装置が該第１ＳＳＢの周波数点での在圏を停止することを示し、及び該複数のＳＳＢのうちの各ＳＳＢの負荷閾値を示し、
該処理ユニット４２０は具体的に、乱数をランダムに生成し、及び該乱数及び該複数のＳＳＢのうちの各ＳＳＢの負荷閾値に基づいて該第２ＳＳＢを決定することに用いられる。
【００８７】
選択肢として、該構成情報は該端末装置が該第１ＳＳＢの周波数点での在圏を停止すること、及び該端末装置が該第２ＳＳＢを選択して在圏することを示し、
該処理ユニット４２０は具体的に、該第２ＳＳＢを決定することに用いられる。
【００８８】
選択肢として、該第１システム情報は該第１ＳＳＢに対応するＲＭＳＩである。
【００８９】
選択肢として、該第１システム情報と該第２システム情報とは同じシステム情報である。
【００９０】
理解されるように、該端末装置４００は方法２００における端末装置に対応してもよく、方法２００における端末装置の実現する対応操作を実現することができ、簡潔のために、ここで詳細な説明は省略する。
【００９１】
図５は本願の実施例に係るネットワーク装置５００の模式的なブロック図である。図５に示すように、少なくとも１つの端末装置が第１セルの広帯域キャリアにおける第１同期信号ブロック（ＳＳＢ）の周波数点に在圏し、該第１セルの広帯域キャリアには該第１ＳＳＢを含む複数のＳＳＢが含まれ、
該ネットワーク装置５００は、
該第１ＳＳＢにおいて第１システム情報を放送することに用いられ、該第１システム情報が第１指示情報を含み、該第１指示情報が該複数のＳＳＢのうちの該第１ＳＳＢ以外の各ＳＳＢの該第１ＳＳＢに対する相対周波数点位置、及び／又は、該複数のＳＳＢのうちの該第１ＳＳＢ以外の各ＳＳＢの絶対周波数点位置を示す通信ユニット５１０を備え、
該通信ユニット５１０は更に、該第１ＳＳＢにおいて第２システム情報を放送することに用いられ、該第２システム情報が構成情報を含み、該構成情報は端末装置が該第１ＳＳＢの周波数点での在圏を停止すること、及び該複数のＳＳＢからＳＳＢを改めて選択して在圏することを示す。
【００９２】
選択肢として、該第２システム情報は該第１ＳＳＢの周波数点に在圏する一部又は全部の端末装置が該構成情報に応答するようにトリガーすることに用いられる。
【００９３】
選択肢として、該通信ユニット５１０は更に、該第１ＳＳＢにおいて該端末装置にページングメッセージを送信することに用いられ、該ページングメッセージには第１端末装置が該構成情報に応答するようにトリガーするための第２指示情報が含まれ、該第１端末装置が該少なくとも１つの端末装置に属する。
【００９４】
選択肢として、該構成情報は該端末装置が該第１ＳＳＢの周波数点での在圏を停止すること、及び該端末装置が該複数のＳＳＢから１つのＳＳＢを改めてランダムに選択して在圏することを示す。
【００９５】
選択肢として、該構成情報は該端末装置が該第１ＳＳＢの周波数点での在圏を停止することを示し、及びＭ  ｍｏｄ  Ｎと該複数のＳＳＢのうちの各ＳＳＢを識別するインデックスとの対応関係を示し、該Ｍが該端末装置の識別子を示し、該Ｎが該複数のＳＳＢの数を示し、ｍｏｄがモジュロ演算を示す。
【００９６】
選択肢として、該構成情報は該端末装置が該第１ＳＳＢの周波数点での在圏を停止することを示し、及び該複数のＳＳＢのうちの各ＳＳＢの負荷閾値を示す。
【００９７】
選択肢として、該構成情報は該端末装置が該第１ＳＳＢの周波数点での在圏を停止すること、及び該端末装置が該第２ＳＳＢを選択して在圏することを示す。
【００９８】
選択肢として、該第１システム情報は該第１ＳＳＢに対応するＲＭＳＩである。
【００９９】
選択肢として、該第１システム情報と該第２システム情報とは同じシステム情報である。
【０１００】
理解されるように、該ネットワーク装置５００は方法３００におけるネットワーク装置に対応してもよく、方法３００におけるネットワーク装置の実現する対応操作を実現することができ、簡潔のために、ここで詳細な説明は省略する。
【０１０１】
図６は本願の実施例に係る無線通信装置６００の模式的なブロック図であり、該装置６００は、
コードを含むプログラムを記憶することに用いられるメモリ６１０と、
他の装置と通信することに用いられる送受信機６２０と、
メモリ６１０におけるプログラムコードを実行することに用いられるプロセッサ６３０と、を備える。
【０１０２】
選択肢として、送受信機６２０はプロセッサ６３０の駆動下で具体的な信号の送受信を実行することに用いられる。
【０１０３】
選択肢として、該コードが実行される場合、該プロセッサ６３０は更に図２の方法２００における端末装置の実行する各操作を実現することができ、簡潔のために、ここで詳細な説明は省略する。このとき、該装置６００は端末装置、例えば携帯電話であってもよい。
【０１０４】
選択肢として、該コードが実行される場合、該プロセッサ６３０は図３の方法３００におけるネットワーク装置の実行する各操作を実現することができ、簡潔のために、ここで詳細な説明は省略する。このとき、該装置６００はネットワーク装置、例えば基地局であってもよい。
【０１０５】
理解されるように、本願の実施例では、該プロセッサ６３０は中央処理装置（ＣＰＵ、Ｃｅｎｔｒａｌ  Ｐｒｏｃｅｓｓｉｎｇ  Ｕｎｉｔ）であってもよく、該プロセッサ６３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０１０６】
該メモリ６１０は読み出し専用メモリ及びランダムアクセスメモリを含んでもよく、且つプロセッサ６３０に命令及びデータを提供する。メモリ６１０の一部は更に不揮発性ランダムアクセスメモリを含んでもよい。例えば、メモリ６１０は更に装置タイプの情報を記憶してもよい。
【０１０７】
送受信機６２０は信号送受信機能、例えばアップコンバータ及びダウンコンバータ機能とも称される周波数変調及び復調機能を実現することに用いられてもよい。
【０１０８】
実現過程において、上記方法の少なくとも１つのステップはプロセッサ６３０におけるハードウェアの集積論理回路で行われてもよく、又は該集積論理回路はソフトウェア形式の命令の駆動下で該少なくとも１つのステップを行ってもよい。従って、無線通信装置６００はチップ又はチップセットであってもよい。本願の実施例に開示される方法のステップはハードウェアプロセッサで実行して完成し、又はプロセッサにおけるハードウェア及びソフトウェアモジュールの組み合わせで実行して完成するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサ６３０はメモリにおける情報を読み取り、そのハードウェアと組み合わせて上記方法のステップを行う。重複を避けるために、ここで詳細な説明は省略する。
【０１０９】
図７は本願の実施例に係るシステムチップ７００の構造模式図である。図７におけるシステムチップ７００は入力インターフェース７０１、出力インターフェース７０２、プロセッサ７０３及びメモリ７０４を備え、それらは内部通信接続経路によって接続されてもよく、該プロセッサ７０３は該メモリ７０４におけるコードを実行することに用いられる。
【０１１０】
選択肢として、該コードが実行される場合、該プロセッサ７０３は方法実施例における端末装置の実行する方法を実現する。簡潔のために、ここで詳細な説明は省略する。
【０１１１】
選択肢として、該コードが実行される場合、該プロセッサ７０３は方法実施例におけるネットワーク装置の実行する方法を実現する。簡潔のために、ここで詳細な説明は省略する。
【０１１２】
上記実施例では、ソフトウェア、ハードウェア、ファームウェア又はそれらの任意の組み合わせで全体的又は部分的に実現されてもよい。ソフトウェアで実現されるとき、コンピュータプログラム製品の形式で全体的又は部分的に実現されてもよい。該コンピュータプログラム製品は１つ又は複数のコンピュータ命令を含む。コンピュータにおいて該コンピュータプログラム命令をロードして実行するとき、本願の実施例に記載のプロセス又は機能を全体的又は部分的に発生させる。該コンピュータは汎用コンピュータ、専用コンピュータ、コンピュータネットワーク又は他のプログラム可能装置であってもよい。該コンピュータ命令はコンピュータ可読記憶媒体に記憶され、又は一方のコンピュータ可読記憶媒体から他方のコンピュータ可読記憶媒体まで伝送されてもよく、例えば、該コンピュータ命令は一方のウェブサイト、コンピュータ、サーバ又はデータセンターから有線（例えば、同軸ケーブル、光ファイバー、デジタル加入者回線（ＤＳＬ））又は無線（例えば、赤外線、無線、マイクロ波等）方式で他方のウェブサイト、コンピュータ、サーバ又はデータセンターまで伝送されてもよい。該コンピュータ可読記憶媒体はコンピュータにアクセスできるいかなる利用可能媒体又は１つ又は複数の利用可能媒体からなるサーバ、データセンター等のデータ記憶装置であってもよい。該利用可能媒体は磁気媒体（例えば、フロッピーディスク、ハードディスク、磁気テープ）、光媒体（例えば、ＤＶＤ）又は半導体媒体（例えば、ソリッドステートディスク（ＳＳＤ、Ｓｏｌｉｄ  Ｓｔａｔｅ  Ｄｉｓｋ））等であってもよい。
【０１１３】
理解されるように、本願の様々な実施例では、上記各過程の番号の順位は実行順序の前後を意味せず、各過程の実行順序はその機能及び内部論理によって決定されるべきであり、本願の実施例の実施過程を制限するためのものではない。
【０１１４】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０１１５】
以上の説明は本願の具体的な実施形態に過ぎず、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021516465.tif 000003
【図２】
2021516465.tif 000004
【図３】
2021516465.tif 000005
【図４】
2021516465.tif 000006
【図５】
2021516465.tif 000007
【図６】
2021516465.tif 000008
【図７】
2021516465.tif 000009
【手続補正書】
【提出日】令和3年1月5日(2021.1.5)
【手続補正１】
【補正対象書類名】明細書
【補正対象項目名】０００２
【補正方法】変更
【補正の内容】
【０００２】
第５世代移動通信技術である新無線（５Ｇ  ＮＲ、５−Ｇｅｎｅｒａｔｉｏｎ  Ｎｅｗ  Ｒａｄｉｏ）において、低周波数キャリアの場合、最大チャネル帯域幅が１００ＭＨｚであり、高周波数キャリアの場合、最大チャネル帯域幅が４００ＭＨｚである。５Ｇ  ＮＲ通信において、端末装置（ＵＥ、Ｕｓｅｒ  Ｅｑｕｉｐｍｅｎｔ）の電力消費への要求が高く、端末装置が常に低周波数キャリア又は高周波数キャリアの最大チャネル帯域幅に基づいてデータ伝送を行うと、エネルギー損失が大きくなる。従って、５Ｇ  ＮＲ広帯域セルの広帯域キャリア全体において複数の同期信号ブロック（ＳＳＢ、Ｓｙｎｃｈｒｏｎｏｕｓ  Ｓｉｇｎａｌ  Ｂｌｏｃｋ）構成を定義することとなり、端末装置は１つのＳＳＢをサーチした後、システム放送情報を取得して在圏し、従って、５Ｇ  ＮＲ広帯域セルの広帯域キャリア全体において、端末装置はすべてのＳＳＢの位置する周波数点に負荷をランダムに分布する。ところが、このような端末装置が負荷をランダムに分布するため、端末装置のすべてのＳＳＢでの負荷分布が不均衡となるという問題が発生してしまう。
【手続補正２】
【補正対象書類名】明細書
【補正対象項目名】０００６
【補正方法】変更
【補正の内容】
【０００６】
選択肢として、第１態様の実現方式では、該端末装置が該構成情報に基づいて該第２ＳＳＢを決定する前に、該方法は更に、
該端末装置が該第１ＳＳＢから該ネットワーク装置の送信したページングメッセージを取得することを含み、該ページングメッセージには該端末装置が該構成情報に応答するようにトリガーするための第２指示情報が含まれ、
該端末装置が該構成情報に基づいて第２ＳＳＢを決定することは、
該端末装置は該第２指示情報に基づいて、該構成情報に基づいて該第２ＳＳＢを決定するようにトリガーすることを含む。
【手続補正３】
【補正対象書類名】明細書
【補正対象項目名】００２６
【補正方法】変更
【補正の内容】
【００２６】
第３態様では、本願の実施例は端末装置を提供し、第１態様又は第１態様のいずれか１つの選択可能な実現方式における方法を実行することのできるモジュール又はユニットを備える。
【手続補正４】
【補正対象書類名】明細書
【補正対象項目名】００２７
【補正方法】変更
【補正の内容】
【００２７】
第４態様では、本願の実施例はネットワーク装置を提供し、第２態様又は第２態様のいずれか１つの選択可能な実現方式における方法を実行することのできるモジュール又はユニットを備える。
【手続補正５】
【補正対象書類名】明細書
【補正対象項目名】００６５
【補正方法】変更
【補正の内容】
【００６５】
選択肢として、該端末装置は該第１ＳＳＢから該ネットワーク装置の送信したページングメッセージを取得し、該ページングメッセージには該端末装置が該構成情報に応答するようにトリガーするための第２指示情報が含まれ、該端末装置は該第２指示情報に基づいて、該構成情報に基づいて該第２ＳＳＢを決定するようにトリガーする。
【手続補正６】
【補正対象書類名】特許請求の範囲
【補正対象項目名】全文
【補正方法】変更
【補正の内容】
【特許請求の範囲】
【請求項１】
無線通信方法であって、端末装置が第１セルの広帯域キャリアにおける第１同期信号ブロック（ＳＳＢ）の周波数点に在圏し、前記第１セルの広帯域キャリアには前記第１ＳＳＢを含む複数のＳＳＢが含まれ、
前記方法は、
前記端末装置が前記第１ＳＳＢからネットワーク装置の放送した第１システム情報を取得し、前記第１システム情報が第１指示情報を含み、前記第１指示情報が前記複数のＳＳＢのうちの前記第１ＳＳＢ以外の各ＳＳＢの前記第１ＳＳＢに対する周波数点位置、及び／又は、前記複数のＳＳＢのうちの前記第１ＳＳＢ以外の各ＳＳＢの絶対周波数点位置を示すことと、
前記端末装置が前記第１ＳＳＢから前記ネットワーク装置の放送した第２システム情報を取得し、前記第２システム情報が構成情報を含み、前記構成情報は前記端末装置が前記第１ＳＳＢの周波数点での在圏を停止すること、及び前記複数のＳＳＢからＳＳＢを改めて選択して在圏することを示すことと、
前記端末装置が前記構成情報に基づいて第２ＳＳＢを決定し、及び前記第１指示情報で示される前記第２ＳＳＢの周波数点位置に基づいて前記第２ＳＳＢの周波数点に在圏し、前記第２ＳＳＢが前記複数のＳＳＢのうちのいずれか１つのＳＳＢであることと、を含むことを特徴とする無線通信方法。
【請求項２】
前記端末装置が前記構成情報に基づいて前記第２ＳＳＢを決定する前に、前記方法は更に、
前記端末装置が前記第１ＳＳＢから前記ネットワーク装置の送信したページングメッセージを取得し、前記ページングメッセージには前記端末装置が前記構成情報に応答するようにトリガーするための第２指示情報が含まれることを含み、
前記端末装置が前記構成情報に基づいて第２ＳＳＢを決定することは、
前記端末装置は前記第２指示情報に基づいて、前記構成情報に基づいて前記第２ＳＳＢを決定するようにトリガーすることを含むことを特徴とする請求項１に記載の方法。
【請求項３】
前記構成情報は、前記端末装置が前記第１ＳＳＢの周波数点での在圏を停止すること、及び前記端末装置が前記複数のＳＳＢから１つのＳＳＢを改めてランダムに選択して在圏することを示し、
前記端末装置が前記構成情報に基づいて第２ＳＳＢを決定することは、
前記端末装置が前記第１ＳＳＢの周波数点での在圏を停止し、及び前記複数のＳＳＢから前記第２ＳＳＢをランダムに選択することを含むことを特徴とする請求項１又は２に記載の方法。
【請求項４】
前記構成情報は前記端末装置が前記第１ＳＳＢの周波数点での在圏を停止することを示し、及びＭ  ｍｏｄ  Ｎと前記複数のＳＳＢのうちの各ＳＳＢを識別するインデックスとの対応関係を示し、前記Ｍが前記端末装置の識別子を示し、前記Ｎが前記複数のＳＳＢの数を示し、ｍｏｄがモジュロ演算を示し、
前記端末装置が前記構成情報に基づいて第２ＳＳＢを決定することは、
前記端末装置が前記第１ＳＳＢの周波数点での在圏を停止し、及び前記対応関係に基づいて前記第２ＳＳＢを決定することを含むことを特徴とする請求項１又は２に記載の方法。
【請求項５】
前記構成情報は、前記端末装置が前記第１ＳＳＢの周波数点での在圏を停止することを示し、及び前記複数のＳＳＢのうちの各ＳＳＢの負荷閾値を示し、
前記端末装置が前記構成情報に基づいて第２ＳＳＢを決定することは、
前記端末装置が乱数をランダムに生成し、前記乱数及び前記複数のＳＳＢのうちの各ＳＳＢの負荷閾値に基づいて前記第２ＳＳＢを決定することを含むことを特徴とする請求項１又は２に記載の方法。
【請求項６】
前記構成情報は、前記端末装置が前記第１ＳＳＢの周波数点での在圏を停止すること、及び前記端末装置が前記第２ＳＳＢを選択して在圏することを示し、
前記端末装置が前記構成情報に基づいて第２ＳＳＢを決定することは、
前記端末装置が前記第２ＳＳＢを決定することを含むことを特徴とする請求項１又は２に記載の方法。
【請求項７】
前記第１システム情報は前記第１ＳＳＢに対応する残りのシステム情報（ＲＭＳＩ）であることを特徴とする請求項１〜６のいずれか１項に記載の方法。
【請求項８】
端末装置であって、前記端末装置が第１セルの広帯域キャリアにおける第１同期信号ブロック（ＳＳＢ）の周波数点に在圏し、前記第１セルの広帯域キャリアには前記第１ＳＳＢを含む複数のＳＳＢが含まれ、
前記端末装置は、
前記第１ＳＳＢからネットワーク装置の放送した第１システム情報を取得することに用いられ、前記第１システム情報が第１指示情報を含み、前記第１指示情報は前記複数のＳＳＢのうちの前記第１ＳＳＢ以外の各ＳＳＢの前記第１ＳＳＢに対する周波数点位置、及び／又は、前記複数のＳＳＢのうちの前記第１ＳＳＢ以外の各ＳＳＢの絶対周波数点位置を示す通信ユニットと、
前記構成情報に基づいて第２ＳＳＢを決定し、及び前記第１指示情報で示される前記第２ＳＳＢの周波数点位置に基づいて前記第２ＳＳＢの周波数点に在圏することに用いられ、前記第２ＳＳＢが前記複数のＳＳＢのうちのいずれか１つのＳＳＢである処理ユニットと、を備え、
前記通信ユニットは更に、前記第１ＳＳＢから前記ネットワーク装置の放送した第２システム情報を取得することに用いられ、前記第２システム情報が構成情報を含み、前記構成情報は前記端末装置が前記第１ＳＳＢの周波数点での在圏を停止すること、及び前記複数のＳＳＢからＳＳＢを改めて選択して在圏することを示すことを特徴とする端末装置。
【請求項９】
前記処理ユニットが前記構成情報に基づいて前記第２ＳＳＢを決定する前に、前記通信ユニットは更に、前記第１ＳＳＢから前記ネットワーク装置の送信したページングメッセージを取得することに用いられ、前記ページングメッセージには前記端末装置が前記構成情報に応答するようにトリガーするための第２指示情報が含まれ、
前記処理ユニットは具体的に、前記第２指示情報に基づいて、前記構成情報に基づいて前記第２ＳＳＢを決定するようにトリガーすることに用いられることを特徴とする請求項８に記載の端末装置。
【請求項１０】
前記構成情報は、前記端末装置が前記第１ＳＳＢの周波数点での在圏を停止すること、及び前記端末装置が前記複数のＳＳＢから１つのＳＳＢを改めてランダムに選択して在圏することを示し、
前記処理ユニットは具体的に、前記第１ＳＳＢの周波数点での在圏を停止すること、及び前記複数のＳＳＢから前記第２ＳＳＢをランダムに選択することに用いられることを特徴とする請求項８又は９に記載の端末装置。
【請求項１１】
前記構成情報は、前記端末装置が前記第１ＳＳＢの周波数点での在圏を停止することを示し、及びＭ  ｍｏｄ  Ｎと前記複数のＳＳＢのうちの各ＳＳＢを識別するインデックスとの対応関係を示し、前記Ｍが前記端末装置の識別子を示し、前記Ｎが前記複数のＳＳＢの数を示し、ｍｏｄがモジュロ演算を示し、
前記処理ユニットは具体的に、前記第１ＳＳＢの周波数点での在圏を停止し、及び前記対応関係に基づいて前記第２ＳＳＢを決定することに用いられることを特徴とする請求項８又は９に記載の端末装置。
【請求項１２】
前記構成情報は、前記端末装置が前記第１ＳＳＢの周波数点での在圏を停止することを示し、及び前記複数のＳＳＢのうちの各ＳＳＢの負荷閾値を示し、
前記処理ユニットは具体的に、乱数をランダムに生成し、及び前記乱数及び前記複数のＳＳＢのうちの各ＳＳＢの負荷閾値に基づいて前記第２ＳＳＢを決定することに用いられることを特徴とする請求項８又は９に記載の端末装置。
【請求項１３】
前記構成情報は、前記端末装置が前記第１ＳＳＢの周波数点での在圏を停止すること、及び前記端末装置が前記第２ＳＳＢを選択して在圏することを示し、
前記処理ユニットは具体的に、前記第２ＳＳＢを決定することに用いられることを特徴とする請求項８又は９に記載の端末装置。
【請求項１４】
前記第１システム情報は前記第１ＳＳＢに対応する残りのシステム情報（ＲＭＳＩ）であることを特徴とする請求項８〜１３のいずれか１項に記載の端末装置。
【請求項１５】
前記第１システム情報と前記第２システム情報とは同じシステム情報であることを特徴とする請求項８〜１４のいずれか１項に記載の端末装置。
【国際調査報告】
2021516465.tif 000010
2021516465.tif 000011
2021516465.tif 000012
2021516465.tif 000013